(57)【要約】      （修正有）【課題】作業者の腕が上方の障害物により圧迫されて操作盤と障害物との間に挟まれて怪我するのを防止し、簡単な構成により作業者の腕を保護できる高所作業装置を提供する。【解決手段】高所作業装置において、落下防止用の防護柵２に着脱自在かつ上下に伸縮自在に一対の垂直部材６を取り付け、操作盤３を操作中における作業者の腕の上方位置に配置された状態で両垂直部材の上端間に着脱自在かつ水平に伸縮自在に水平部材７を取り付け、水平部材に上端部が着脱自在に補強部材８を取り付け、補強部材の下端を操作盤に当接させて、垂直部材及び水平部材の一方または両方に上方の障害物の圧迫による荷重が加わったときに、垂直部材及び水平部材の一方または両方の変形を抑制し、作業者の腕が操作盤と障害物との間に挟まれることを防止する。【選択図】図２
0003227403.tif 000002
【実用新案登録請求の範囲】
【請求項１】
移動手段により垂直及び水平方向に移動可能に設けられた作業台と、該作業台を囲むように設けられた作業者の落下防止用の防護柵と、上面に作業者により操作される各種の操作スイッチ及び操作レバーが配置された操作盤とを備え、作業者による前記操作スイッチ、前記操作レバーの操作により前記移動手段が駆動されて前記作業台が高所の作業位置に移動される高所作業装置において、
前記防護柵に着脱自在かつ上下に伸縮自在に取り付けられた垂直部材と、
前記操作盤を操作中における前記作業者の腕の上方位置に配置された状態で前記垂直部材の上端に着脱自在かつ水平に伸縮自在に取り付けられた水平部材と、
前記垂直部材及び前記水平部材の少なくとも一方に上端部が着脱自在に取り付けられるとともに下端が前記操作盤に当接され、前記垂直部材及び前記水平部材の一方または両方に上方から荷重が加わったときに前記垂直部材及び前記水平部材の一方または両方の変形を抑制し、前記水平部材下方の前記作業者の腕を防護する補強部材と
を備えることを特徴とする高所作業装置。
【請求項２】
走行可能な車両に伸縮自在かつ起伏自在に設けられたブームの先端に、前記作業台、前記防護柵及び操作盤が取り付けられて成ることを特徴とする請求項１に記載の高所作業装置。
【請求項３】
前記車両はトラックであり、該トラックの荷台に前記ブームが設けられていることを特徴とする請求項２に記載の高所作業装置。
【請求項４】
前記垂直部材は、上端部が前記防護柵よりも上方に突出した状態で下端部が前記防護柵に固定された一対の上下方向の棒材から成ることを特徴とする請求項１ないし３のいずれか１項に記載の高所作業装置。
【請求項５】
前記水平部材は、前記一対の上下方向の棒材の上端部間に掛け渡すように取り付けられた水平方向の棒材であることを特徴とする請求項４に記載の高所作業装置。
【請求項６】
前記補強部材は、伸縮自在な棒材から成ることを特徴とする請求項１ないし５のいずれか１項に記載の高所作業装置。
【考案の詳細な説明】
【技術分野】
【０００１】
この考案は、防護柵で囲まれた作業台を高所の作業位置に移動して、高所における作業を可能にする高所作業装置に関する。
【背景技術】
【０００２】
一般に、橋梁の橋脚、橋桁の点検や補修工事、電柱上部の電設工事など高所における作業を行う場合、例えば特許文献１に記載のような高所作業装置を備えたトラック式の高所作業車が使用される。この種の高所作業車は、図４に示すように、車体５１の前部に運転席５２を備えるとともに後部に荷台５３を備え、荷台５３の前部及び後部の左右には合計４個のジャッキ５４，５５の外筒が固定して取り付けられ、高所作業中、ジャッキ５４，５５の内筒が外筒に対して下方に伸び出すことにより、車体５１全体を持ち上げてタイヤを地面から浮かせ、車体５１を安定した状態に保持するようになっている。
【０００３】
さらに、荷台５３には、２個のアームが回転自在に連結されてなるブーム５６が伸縮自在かつ起伏自在に設けられ、このブーム５６の先端に作業者が乗る作業台、及び、作業者の落下防止のために作業台を囲む防護柵５７が取り付けられ、防護柵５７には上面に作業者により操作される各種の操作スイッチ及び操作レバーが配置された操作盤５８が設けられている。このとき、作業者による操作盤５８の操作スイッチや操作レバーの操作に応じてアクチュエータ（移動手段）が駆動され、これによりブーム５６が伸縮或いは旋回して作業台が防護柵５７ごと高所の作業位置に移動され、作業者はその高所において所定の作業を行うことが可能になる。
【先行技術文献】
【特許文献】
【０００４】
【特許文献１】特開平６−９４００５号公報（段落０００７〜００１３及び図１参照）
【考案の概要】
【考案が解決しようとする課題】
【０００５】
ところで、上記した高所作業装置では、作業台に乗った作業者が操作盤５８を操作しているときに、操作盤５８の操作に応じてブーム５６が伸張等することにより作業台が上昇しても、橋脚や電柱上部の設置物など高所の障害物に作業台が防護柵５７ごと近接したことに気付かずに、作業者が操作盤５８と障害物との間に手を挟んで怪我をすることがある。このような作業者の手の怪我を防止するために、従来、図５に示すように、操作盤５８の上面に配置された全ての操作スイッチＳや操作レバーＬの上面を覆うように保護柵５９を配設することが行われている。
【０００６】
この保護柵５９は、長尺の棒体がコ字状に屈曲されて成り操作盤５８の横幅と同一寸法を有する一対の屈曲体５９ａと、両屈曲体５９ａ間に架け渡されて両屈曲体５９ａを接続する複数の接続体５９ｂとを備え、操作盤５８の上面に配置された操作スイッチＳ、操作レバーＬを作業者が操作中、作業者の手を保護柵５９により上から覆うことになり、障害物が操作盤５８の上面に接近しても、作業者の手が障害物により圧迫されることがなく、操作盤５８と障害物との間に挟まれないよう作業者の手が保護される。このとき、保護柵５９の上面は全面が完全に覆われていないので、保護柵５９があっても作業者は操作盤５８の上面の操作スイッチＳや操作レバーＬを視認しつつ操作することができる。
【０００７】
しかし、保護柵５９により、作業者の手は保護できても、操作盤５８を操作中の作業者の腕まで保護柵５９により覆うことはできないため、作業者の腕が上方の障害物により圧迫されて操作盤５８と障害物との間に挟まれて怪我をするおそれがあり、作業者の腕の怪我を防止できる簡単な保護手段の開発が望まれている。
【０００８】
この考案は上記課題に鑑みなされたものであり、作業者の腕が上方の障害物により圧迫されて操作盤と障害物との間に挟まれて怪我するのを防止し、簡単な構成により作業者の腕を保護できるようにすることを目的とする。
【課題を解決するための手段】
【０００９】
上記した目的を達成するために、本考案に係る高所作業装置は、移動手段により垂直及び水平方向に移動可能に設けられた作業台と、該作業台を囲むように設けられた作業者の落下防止用の防護柵と、上面に作業者により操作される各種の操作スイッチ及び操作レバーが配置された操作盤とを備え、作業者による前記操作スイッチ、前記操作レバーの操作により前記移動手段が駆動されて前記作業台が高所の作業位置に移動される高所作業装置において、前記防護柵に着脱自在かつ上下に伸縮自在に取り付けられた垂直部材と、前記操作盤を操作中における前記作業者の腕の上方位置に配置された状態で前記垂直部材の上端に着脱自在かつ水平に伸縮自在に取り付けられた水平部材と、前記垂直部材及び前記水平部材の少なくとも一方に上端部が着脱自在に取り付けられるとともに下端が前記操作盤に当接され、前記垂直部材及び前記水平部材の一方または両方に上方から荷重が加わったときに前記垂直部材及び前記水平部材の一方または両方の変形を抑制し、前記水平部材下方の前記作業者の腕を防護する補強部材とを備えることを特徴としている。
【００１０】
また、本考案に係る高所作業装置は、走行可能な車両に伸縮自在かつ起伏自在に設けられたブームの先端に、前記作業台、前記防護柵及び操作盤が取り付けられて成るのが望ましい。
【００１１】
また、前記車両はトラックであり、該トラックの荷台に前記ブームが設けられているとよい。
【００１２】
また、前記垂直部材は、上端部が前記防護柵よりも上方に突出した状態で下端部が前記防護柵に固定された一対の上下方向の棒材から成るとよく、前記水平部材は、前記一対の上下方向の棒材の上端部間に掛け渡すように取り付けられた水平方向の棒材であるとよい。さらに、前記補強部材は、伸縮自在な棒材から成るとよい。
【考案の効果】
【００１３】
この考案によれば、高所での作業中に上方の障害物が操作盤の上面に接近した場合に、垂直部材及び水平部材の一方または両方に上方の障害物の圧迫による荷重が加わっても、垂直部材及び水平部材の一方または両方の変形を抑制することができ、簡単な構成により、作業者の腕が操作盤と障害物との間に挟まれることを防止して作業者の腕を保護することができ、非常に有用である。
【図面の簡単な説明】
【００１４】
【図１】本考案に係る高所作業装置の一実施形態の一部の正面図である。
【図２】図１の側面図である。
【図３】図１の平面図である。
【図４】従来例の側面図である。
【図５】図４の一部の斜視図である。
【考案を実施するための形態】
【００１５】
本考案に係る高所作業装置の一実施形態について、図１ないし図３を参照して説明する。本実施形態の高所作業装置は、図４、図５に示すトラック式の高所作業車に適用したものであるため、以下の説明では図４、図５も参照する。
【００１６】
図１ないし図３は、図４に示す高所作業車の防護柵５７と同様、作業者が乗る矩形の作業台１の周囲を取り囲み作業者の落下を防止する防護柵２を表わしている。この防護柵２は、作業台１の周縁に立設された複数のパイプ材２ａと、作業台１の周縁に作業台及び複数のパイプ材１ａの下半部を囲むように取り付けられた多数の丸穴を有する壁面材２ｂと、１本のパイプをほぼ矩形状に加工して成り複数のパイプ材２ａの上端を連結する連結材２ｃと、防護柵２の外側に広がるように連結材２ｃのさらに外側に取り付けられて防護柵２の各側面に対する障害物の直接的な衝突を防止するほぼコ字状を有する緩衝材２ｄとを備える。
【００１７】
この防護柵２は、図４の防護柵５７と同様に、図４に示す車体５１の荷台５３に設置されたブーム５６の先端に取り付けられ、ブーム５６の伸縮及び起伏により高所の所定位置に移動される。
【００１８】
ところで、この防護柵２の一部の外側面には、図４の操作盤５８と同様、上面に作業者により操作される各種の操作スイッチ及び操作レバーが配置された操作盤３が取り付けられ、図１ないし図３には図示されていないが、この操作盤３にも、図４、図５の操作盤５８に設けられた保護柵５９と同様の保護柵が設けられており、操作盤３の操作スイッチや操作レバーを操作中、作業者の手を覆って上方の障害物による圧迫から保護する。なお、操作盤３の不使用時には操作盤３の上面を覆うカバーが開閉自在に操作盤３に取り付けられている。なお、図３中のＦＳは、作業台１に設けられたフットスイッチであり、このフットスイッチＦＳに足を乗せてオンしている間だけ、操作盤３の操作スイッチ及び操作レバーの操作が有効になり、フットスイッチＦＳから足を離せば、操作盤３の操作スイッチ及び操作レバーの操作が無効になり、安全を図っている。
【００１９】
そして、本考案の最大の特徴として以下の構成を有する。すなわち、図１ないし図３に示すように、防護柵２に連結具５により着脱自在かつ上下に伸縮自在に取り付けられた一対の垂直部材６と、操作盤３を操作中における作業者の腕の上方位置に配置された状態で両垂直部材６の上端間に連結具５により着脱自在かつ水平に伸縮自在に取り付けられた水平部材７と、水平部材７の一端部に上端部が連結具５により着脱自在に取り付けられるとともに下端が操作盤３の上面に当接されて配置された補強部材８とを備える。
【００２０】
両垂直部材６はいずれも、上端部が防護柵２よりも上方に突出した状態で下端部が防護柵２に固定された一対の上下方向の棒材であるパイプ材から成り、上下に伸縮できるように複数のパイプ材の組み合わせにより構成されている。
【００２１】
水平部材７は、両垂直部材６の上端部間に掛け渡すように取り付けられた水平方向の棒材であるパイプ材から成り、水平に伸縮できるように複数のパイプ材の組み合わせにより構成されている。補強部材８も、複数のパイプの組み合わせから成る棒材であるパイプ材により構成される。また、連結具５はパイプを連結する周知のパイプ連結具から成り、ボルト・ナットの締め付けによってパイプ同士を連結するものであり、防護柵２の大きさに応じて垂直部材６、水平部材７及び補強部材８を伸縮して連結することができる。
【００２２】
そして、両垂直部材６及び水平部材７の一方または両方に上方の障害物による荷重が加わったときに、補強部材８により両垂直部材６及び水平部材７の一方または両方の変形を抑制することができるので、水平部材７の下方で作業する作業者の腕に上方の障害物が当接して圧迫することを未然に防止する。
【００２３】
そして、橋梁の橋脚、橋桁の点検や補修工事、電柱上部の電設工事など高所における作業を行う場合、高所作業車を現場に移動させ、ジャッキ５４，５５により車体５１を持ち上げて車体５１を安定させ、その後、作業者が防護柵２内に乗り込んで操作盤３の操作スイッチ、操作レバーを適宜操作し、移動手段を駆動してブーム５６を伸縮、起伏させることによって、防護柵２ごと作業台１が所定の高所位置まで移動され、高所での所定の作業が開始される。
【００２４】
このとき、橋脚や電柱上部の設置物など高所の障害物に作業台が防護柵２ごと近接したことに気付かずに、上方の障害物が操作盤３の上面に接近しても、垂直部材６及び水平部材７の一方または両方に上方の障害物の圧迫による荷重が加わっても、垂直部材６及び水平部材７の一方または両方の変形が抑制され、作業者の腕が操作盤３と障害物との間に挟まれるのが防止され、作業者の腕が保護される。また、操作盤３の上面に設けられた図４の保護柵５９と同様の保護柵により、操作盤３と上方の障害物との間に挟まれないよう作業者の手が保護される。
【００２５】
したがって、上記した実施形態によれば、防護柵２に着脱自在かつ上下に伸縮自在に一対の垂直部材６を取り付け、操作盤３を操作中における作業者の腕の上方位置に配置された状態で両垂直部材６の上端間に着脱自在かつ水平に伸縮自在に水平部材７を取り付け、水平部材７に上端部が着脱自在に補強部材８を取り付け、この補強部材８の下端を操作盤３に当接させて、垂直部材６及び水平部材７の一方または両方の変形を抑制するようにしたため、垂直部材６及び水平部材７の一方または両方に上方の障害物の圧迫による荷重が加わっても、垂直部材６及び水平部材７の一方または両方の変形を抑制することができ、簡単な構成により、作業者の腕が操作盤と障害物との間に挟まれることを防止して作業者の腕を保護することができ、非常に有用である。
【００２６】
また、垂直部材６、水平部材７及び補強部材８を伸縮することができるため、防護柵２の大きさに合わせて垂直部材６、水平部材７及び補強部材８を連結することができる。
【００２７】
また、操作盤３の上面に設けられた図４の保護柵５９と同様の保護柵により、操作盤３と上方の障害物との間に挟まれないように作業者の手を保護することができる。
【００２８】
なお、本考案は上記した実施形態に限定されるものではなく、その趣旨を逸脱しない限りにおいて上述したもの以外に種々の変更を行うことが可能である。
【００２９】
例えば、上記した実施形態では、トラック式の高所作業車に本考案の高所作業装置を適用して例を示したが、車両はトラック式に限るものではない。さらに、本考案の高所作業装置は、走行車両に搭載するものに限らず、固定式のクレーンのブーム先端に取り付けられた防護柵や、高所から吊り下げられた防護柵にも、上記した実施形態同様に適用することができる。
【００３０】
また、垂直部材６は、１個であってもよく、垂直部材６、水平部材７、補強部材８の個数は上記した実施形態にものに限定されるものではない。
【００３１】
また、垂直部材６、水平部材７及び補強部材８は伸縮可能であればどのような構成であってもよく、上記したパイプ材により構成されるものに限らない。
【符号の説明】
【００３２】
１    …作業台
２    …防護柵
３    …操作盤
５    …連結具
６    …垂直部材
７    …水平部材
８    …補強部材
Ｓ    …操作スイッチ
Ｌ    …操作レバー
【図１】
0003227403.tif 000003
【図２】
0003227403.tif 000004
【図３】
0003227403.tif 000005
【図４】
0003227403.tif 000006
【図５】
0003227403.tif 000007